(57)【要約】【課題】カードスロットを搭載した電子機器の薄型化を図る。【解決手段】回路基板１０に装着されるカードスロット２０の設置構造１００である。カードスロット２０の設置構造１００は、カードスロット２０の筐体部２５を平面視したときの、前記筐体部の少なくとも一部（本体部３０）が回路基板の少なくとも一部に対して側面視で重畳するように、カードスロット２０が回路基板に対して設置されている。【選択図】図２
2016225049.tif 000002
【特許請求の範囲】
【請求項１】
回路基板に装着されるカードスロットの設置構造であって、
前記カードスロットの筐体部を平面視したときの、前記筐体部の少なくとも一部が、前記回路基板の少なくとも一部に対して側面視で重畳するように、前記カードスロットが前記回路基板に対して設置されている
カードスロットの設置構造。
【請求項２】
前記筐体部の前記少なくとも一部が、前記回路基板の全厚に対して側面視で重畳するように、前記カードスロットが前記回路基板に対して配置されている
請求項１に記載のカードスロットの設置構造。
【請求項３】
前記回路基板には、前記筐体部の前記少なくとも一部が収容される開口部が設けられている
請求項１又は２に記載のカードスロットの設置構造。
【請求項４】
前記カードスロットは、前記筐体部に接続される複数の端子を備え、
前記筐体部は、
カードが装着される本体部と、
前記本体部から引き出された前記複数の端子を覆うカバー部と、を備える
請求項１〜３のいずれか一項に記載のカードスロットの設置構造。
【請求項５】
前記本体部は、前記回路基板の少なくとも一部に対して側面視で重畳している
請求項４に記載のカードスロットの設置構造。
【請求項６】
前記カバー部は、前記回路基板の少なくとも一部に対して側面視で重畳している
請求項４に記載のカードスロットの設置構造。
【請求項７】
前記複数の端子のうち、少なくとも一部の端子は、
前記回路基板の主面に対して対向する対向部と、
前記対向部から前記本体部まで連続し、かつ前記対向部に対して折り曲げられた折り曲げ部とを備える
請求項４〜６のいずれか一項に記載のカードスロットの設置構造。
【請求項８】
前記カードスロットは、さらに、
前記回路基板の一対の主面のうち、一方の主面に対して当接するように、前記本体部に取り付けられることで、前記本体部を支持する支持部を備える
請求項４〜７のいずれか一項に記載のカードスロットの設置構造。
【請求項９】
請求項１〜８のいずれか一項に記載のカードスロットの設置構造を備える回路基板。
【請求項１０】
回路基板に装着されるカードスロットであって、
前記カードスロットの筐体部を平面視したときの、前記筐体部の少なくとも一部が、前記回路基板の少なくとも一部に対して側面視で重畳するように、前記カードスロットが前記回路基板に対して設置されていて、
前記筐体部には、厚み方向に重ねて配置されて、それぞれ複数の端子が引き出された複数の装着口が設けられており、
前記複数の装着口のそれぞれに対応する前記端子は、前記装着口側の端部の延在方向が少なくとも一つの前記装着口と他の前記装着口とで異なる
カードスロット。
【発明の詳細な説明】
【技術分野】
【０００１】
本開示は、カードスロットの設置構造、回路基板およびカードスロットに関する。
【背景技術】
【０００２】
特許文献１は、回路基板の表面上にカードスロットを実装した電子機器を開示している。回路基板及びカードスロットは筐体に内蔵されるため、筐体は少なくともカードスロットを収容することのできる厚みとなる。
【先行技術文献】
【特許文献】
【０００３】
【特許文献１】特開２０１４−３８４７７号公報
【発明の概要】
【発明が解決しようとする課題】
【０００４】
本開示は、カードスロットを搭載した電子機器の薄型化を図ることのできるカードスロットの設置構造、回路基板およびカードスロットを提供する。
【課題を解決するための手段】
【０００５】
本開示におけるカードスロットの設置構造は、回路基板に装着されるカードスロットの設置構造であって、カードスロットの筐体部を平面視したときの、筐体部の少なくとも一部が、回路基板の少なくとも一部に対して側面視で重畳するように、カードスロットが回路基板に対して設置されている。
【０００６】
本開示における回路基板は、上記カードスロットの設置構造を備える。
【０００７】
本開示におけるカードスロットは、回路基板に装着されるカードスロットであって、カードスロットの筐体部を平面視したときの、筐体部の少なくとも一部が、回路基板の少なくとも一部に対して側面視で重畳するように、カードスロットが回路基板に対して設置されていて、筐体部には、厚み方向に重ねて配置されて、それぞれ複数の端子が引き出された複数の装着口が設けられており、複数の装着口のそれぞれに対応する端子は、装着口側の端部の延在方向が少なくとも一つの装着口と他の装着口とで異なる。
【発明の効果】
【０００８】
本開示におけるカードスロットの設置構造、回路基板およびカードスロットは、当該カードスロットを搭載した電子機器の薄型化を図ることができる。
【図面の簡単な説明】
【０００９】
【図１】実施の形態１に係る回路基板の構成を示す斜視図である。
【図２】実施の形態１に係るカードスロットの設置構造を示す説明図であり、図２の（ａ）は上面図、図２の（ｂ）は側面図、図２の（ｃ）は正面図である。
【図３】実施の形態１に係るカバー部に重なる部分における複数の端子の形状を示す側面図である。
【図４】実施の形態１に係るカバー部に重なる部分における複数の端子の形状を示す側面図である。
【図５】実施の形態２に係るカードスロットの設置構造を示す説明図であり、図５の（ａ）は側面図、図５の（ｂ）は正面図である。
【図６】変形例１に係るカードスロットの設置構造を示す説明図であり、図６の（ａ）は上面図、図６の（ｂ）は側面図、図６の（ｃ）は正面図である。
【図７】変形例２に係るカードスロットの設置構造を示す説明図であり、図７の（ａ）は側面図、図７の（ｂ）は正面図である。
【図８】変形例３に係るカードスロットの設置構造を示す説明図であり、図８の（ａ）は側面図、図８の（ｂ）は正面図である。
【図９】変形例４に係るカードスロットを示す上面図である。
【図１０】変形例５に係るカードスロットを示す上面図である。
【図１１】変形例６に係るカードスロットを示す側面図である。
【図１２】変形例７に係るカードスロットを示す説明図であり、図１２の（ａ）は側面図、図１２の（ｂ）は正面図である。
【図１３】変形例７に係る他のカードスロットを示す説明図であり、図１３の（ａ）は側面図、図１３の（ｂ）は正面図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
【００１２】
（実施の形態１）
以下、図１〜図４を用いて、実施の形態１を説明する。
【００１３】
なお、各図では、Ｚ軸方向を上下方向として示しており、以下ではＺ軸方向を上下方向として説明する場合があるが、使用態様によってはＺ軸方向が上下方向にならない場合も想定されるため、Ｚ軸方向は上下方向となることには限定されない。以降の図においても同様である。
【００１４】
［１−１．構成］
［１−１−１．回路基板］
図１は、実施の形態１に係る回路基板の構成を示す斜視図である。
【００１５】
図１に示すように、回路基板１０は、例えばテレビ、パソコンなどの電子機器に搭載される回路基板であり、カードスロット２０を備えている。
【００１６】
回路基板１０の一方の主面（第１主面１１）には、複数の回路部品１３が実装されている。また、回路基板１０の他方の主面（第２主面１２）においても、図示はしないが複数の回路部品が実装されている。回路基板１０の一つの角部には、カードスロット２０が側面視で第１主面１１と第２主面１２とに跨るように配置されている。
【００１７】
回路基板１０には、カードスロット２０の少なくとも一部が収容される開口部１４が形成されている。開口部１４は、回路基板１０の一辺の一部が矩形状に切り欠かれた切り欠きを有する。なお、カードスロット２０の少なくとも一部を収容できるのであれば、切り欠きでなくとも、全周が閉塞された開口であってもよい。
【００１８】
［１−１−２．カードスロットの設置構造］
図２は、カードスロットの設置構造を示す説明図であり、図２の（ａ）は上面図、図２の（ｂ）は側面図、図２の（ｃ）は正面図である。
【００１９】
図２に示すように、本実施形態に係るカードスロットの設置構造１００は、カードスロット２０を回路基板１０に対して装着するためのものである。
【００２０】
まず、カードスロット２０について詳細に説明する。
【００２１】
カードスロット２０は、例えば、ＣＩ（Ｃｏｍｍｏｎ  Ｉｎｔｅｒｆａｃｅ）カードスロット、ＰＣＩ（Ｐｅｒｉｐｈｅｒａｌ  Ｃｏｍｐｏｎｅｎｔ  Ｉｎｔｅｒｃｏｎｎｅｃｔ）カードスロットなどである。本実施形態では二段式のカードスロット２０を例示して説明する。カードスロット２０がＣＩカードスロットである場合、ＣＩカードがカードスロット２０に装着される。また、カードスロット２０がＰＣＩカードスロットである場合、ＰＣＩカードがカードスロット２０に装着される。
【００２２】
カードスロット２０は、筐体部２５と、筐体部２５に接続された端子群４２とを備える。
【００２３】
筐体部２５は、本体部３０と、カバー部４１とを備える。
【００２４】
本体部３０は、カードが着脱自在に装着される部分であり、回路基板１０の開口部１４内に収納されている。本体部３０は、装着部３１とガイド部３２とを備える。
【００２５】
装着部３１は、カードが装着される２つの装着口（第１装着口３１１、第２装着口３１２）を備えている。第１装着口３１１と第２装着口３１２とは、Ｚ軸方向に重なって配置されており、第１装着口３１１が上方に配置され、第２装着口３１２が下方に配置されている。第１装着口３１１と、第２装着口３１２とは、正面視矩形状の開口を有し、その開口内にカードが装着される。
【００２６】
ガイド部３２は、第１装着口３１１と第２装着口３１２とに対してカードを案内する部分である。ガイド部３２は、Ｘ軸方向に所定の間隔をあけて配置された一対のフレーム３２１，３２２である。一対のフレーム３２１，３２２は、開口部１４におけるＸ軸方向で対向する２辺間に沿って配置されている。フレーム３２１，３２２のそれぞれには、第１装着口３１１に対応する第１溝部３２３と、第２装着口３１２に対応する第２溝部３２４とが形成されている。
【００２７】
一対の第１溝部３２３は、互いに内側を向けて開口している。第１溝部３２３はフレーム３２１，３２２のＹ軸方向の全長にわたって延在している。この一対の第１溝部３２３内にカードを挿入することにより、カードが第１装着口３１１まで案内される。
【００２８】
一対の第２溝部３２４は、互いに内側を向けて開口している。第２溝部３２４はフレーム３２１，３２２のＹ軸方向の全長にわたって延在している。この一対の第２溝部３２４内にカードを挿入することにより、カードが第２装着口３１２まで案内される。
【００２９】
ガイド部３２の底面３２５は、装着部３１の底面３１５と面一となっている。ガイド部３２の上面３２６は、装着部３１の上面３１６と面一となっている。そして、ガイド部３２の底面３２５及び装着部３１の底面３１５は、回路基板１０の第１主面１１よりも下方に配置されている。具体的には、ガイド部３２の底面３２５及び装着部３１の底面３１５は、回路基板１０の第２主面１２よりも下方に配置されている。これにより、ガイド部３２及び装着部３１を備える本体部３０は、側面視において回路基板１０の全厚に対して重畳している。
【００３０】
また、ガイド部３２の外側の両側面には、本体部３０を支持するための支持部３４が設けられている。支持部３４は、例えば樹脂、金属などからなる板状部材であり、ガイド部３２の外側面の一部から外方に向けて延在している。支持部３４の底面３４１は、回路基板１０の第１主面１１に当接している。これにより、支持部３４によって本体部３０が回路基板１０に支持される。また、支持部３４は、本体部３０の下方への移動を規制し、本体部３０のＺ軸方向の位置決めをする。ガイド部３２と、回路基板１０の第１主面１１とは、例えば接着剤、半田などによって固定されている。
【００３１】
カバー部４１は、端子群４２の側方の一部を覆う部分であり、装着部３１の装着口３１１，３１２を有する面とは反対側の面（背面３１ａ）に対してＸ軸方向に所定の間隔をあけて２つ取り付けられている。一対のカバー部４１は、直方体形状に形成されている。具体的には、カバー部４１の底面４１１は、ガイド部３２の底面３２５及び装着部３１の底面３１５から一段上方に配置されている。カバー部４１の上面４１２は、ガイド部３２の上面３２６及び装着部３１の上面３１６から一段下方に配置されている。カバー部４１の底面４１１は、回路基板１０の第１主面１１に当接しており、回路基板１０の第１主面１１に対して、例えば接着剤などによって固定されている。
【００３２】
端子群４２は、本体部３０から引き出され、先端部が回路基板１０に接続される複数の端子４３から構成されている。具体的には、複数の端子４３は、装着部３１の背面３１ａから引き出された端子部材である。端子４３は、装着口３１１，３１２に装着されたカードと電気的に接続される。
【００３３】
図３及び図４は、カバー部４１に重なる部分における複数の端子４３の形状を示す側面図である。
【００３４】
図３に示すように、複数の端子４３のうち、第１装着口３１１に対応する第１端子４５は、Ｚ軸方向に所定の間隔をあけて二段に分けて配置されている。第１端子４５は、対向部４５１と、先端部４５２とを備える。第１端子４５の対向部４５１は、装着部３１の背面３１ａから延び出て、回路基板１０の第１主面１１に対して平行に対向している。第１端子４５の先端部４５２は、対向部４５１の先端から折れ曲がって、回路基板１０に接続される。第１端子４５のうち、上方の第１端子４５は、その先端部４５２が、下方の第１端子４５の先端部４５２よりも背面３１ａから遠い位置に配置されている。また、上方の第１端子４５と、下方の第１端子４５とは、Ｘ軸方向で所定の間隔をあけて交互に配列されている（図２の（ａ）参照）。
【００３５】
また、複数の端子４３のうち、第２装着口３１２に対応する第２端子４６は、Ｚ軸方向に所定の間隔をあけて二段にわけて配置されている。第２端子４６は、基端部４６１と、対向部４６２と、先端部４６３とを備える。第２端子４６の基端部４６１は、装着部３１の背面３１ａから斜め上方に延び出ている。第２端子４６の対向部４６２は、基端部４６１の先端から、回路基板１０の第１主面１１に対して平行に対向している。つまり、基端部４６１は対向部４６２に対して折り曲げられた折り曲げ部である。これによって、第１装着口３１１に対応する第１端子４５の基端部（第１装着口３１１側の端部）の延在方向と、第２装着口３１２に対応する第２端子４６の基端部４６１（第２装着口３１２側の端部）の延在方向とが異なる。
【００３６】
装着部３１の底面３１５が、第１主面１１よりも下方に配置されている場合、装着部３１の背面３１ａから引き出された複数の端子４３の一部も、第１主面１１よりも下方に位置する。複数の端子４３は、第１主面１１側から回路基板１０に実装させなければならない。このため、折り曲げ部（基端部４６１）を設けて、第１端子４５の基端部と、第２端子４６の基端部４６１との延在方向を異ならせることにより、第１主面１１よりも下方に位置した端子４３を他の端子４３と接触しないように第１主面１１側へと引き出すことができる。
【００３７】
図３では、第２端子４６が折り曲げられた場合を例示しているが、本体部３０のＺ軸方向の位置によっては、図４に示すように、第１端子４５に対しても基端部４５３（折り曲げ部）を設けてもよい。
【００３８】
なお、基端部４６１は、対向部４６２に対して屈曲していても湾曲していてもよい。また、基端部４６１の折り曲げ角度（度合い）も、他の端子４３に接触しないように第１主面１１側に引き出される角度（度合い）であれば任意に決定してもよい。
【００３９】
第２端子４６の先端部４６３は、対向部４６１の先端から折れ曲がって、回路基板１０に接続される。第２端子４６のうち、上方の第２端子４６は、その先端部４６３が、下方の第２端子４６の先端部４６３よりも背面３１ａから遠い位置であって、下方の第１端子４５よりも背面３１ａに近い位置に配置されている。また、上方の第２端子４６は、Ｘ軸方向から見て、上方の第１端子４５に対して重なっている。下方の第２端子４６は、Ｘ軸方向から見て、下方の第２端子４６に対して重なっている（図２の（ａ）参照）。
【００４０】
第１端子４５の先端部４５２と、第２端子４６の先端部４６３とは、回路基板１０に設けられたスルーホール１５を介して回路基板１０の第１主面１１に実装されている。
【００４１】
ここで、複数の端子４３の総数が多い場合、回路基板１０に対する実装密度が高くなり、回路基板１０に対して全ての端子４３を実装することが困難となるおそれがある。しかしながら、上述したように、第１端子４５と第２端子４６とが、それぞれ装着部３１の背面３１ａから所定の長さだけ引き出されているために、第１端子４５と第２端子４６とを回路基板１０に実装することができる面積を確保することができる。特に、各端子４３の接続位置を上述したようにＹ軸方向及びＸ軸方向で異ならせればより稠密に端子４３を回路基板１０に実装することができる。
【００４２】
［１−２．効果等］
以上のように、本実施の形態によれば、カードスロット２０を平面視したときの少なくとも一部である本体部３０が、回路基板１０の全厚に対して側面視で重畳している。これにより、回路基板１０の表面にカードスロット２０が載置されて実装されている場合と比しても、重畳した分の厚みだけ回路基板１０とカードスロット２０との全体的な厚みを薄くすることができる。したがって、カードスロット２０を搭載する電子機器の薄型化を図ることができる。
【００４３】
そして、カードスロット２０においては、第１装着口３１１に対応する第１端子４５の基端部の延在方向と、第２装着口３１２に対応する第２端子４６の基端部４６１の延在方向とが異なっているので、第１主面１１よりも下方に位置した第２端子４６を第１端子４５と接触しないように第１主面１１側へと引き出すことができる。上述したように回路基板１０の全厚に対して本体部３０が重畳していれば、回路基板１０と本体部３０との重畳した厚みを最大化することができ、より薄型化することができる。
【００４４】
また、回路基板１０には、カードスロット２０の本体部３０を収容する開口部１４が設けられているので、開口部１４の複数の辺でカードスロット２０を支持することができ、カードスロット２０を安定して実装することができる。
【００４５】
また、筐体部２５が本体部３０とカバー部４１とを備えているので、本体部３０とカバー部４１との少なくとも一方だけを回路基板１０に対して側面視で重畳させることができる。
【００４６】
また、カードスロット２０の本体部３０が回路基板１０に対して側面視で重畳しているので、それ自体の薄型化が困難な本体部３０の大きさを維持したまま、電子機器全体の薄型化を図ることができる。
【００４７】
また、第２端子４６の基端部４６１が対向部４６２に対して折り曲げられた折り曲げ部であるので、回路基板１０の第１主面１１よりも下方に位置した第２端子４６を第１主面１１側に引き出すことができる。したがって、回路基板１０の第１主面１１よりも下方に位置した第２端子４６を第１主面１１に対して実装することができる。
【００４８】
また、本体部３０を支持する支持部３４が設けられているので、本体部３０のＺ軸方向の位置決めをしつつ、本体部３０を安定して支持することができる。
【００４９】
なお、上記実施の形態では、支持部３４が回路基板１０の第１主面１１に当接した場合を例示して説明したが、第２主面１２に当接する構成であってもよい。
【００５０】
（実施の形態２）
［２−１．構成］
実施の形態１では、回路基板１０に対してカードスロット２０の本体部３０が重畳している場合を例示して説明した。実施の形態２では、回路基板１０に対してカバー部４１が重畳している場合について説明する。
【００５１】
なお、以下の説明において、上記実施の形態と同一の部分においては、同一の符号を付してその説明を省略する場合がある。
【００５２】
図５は、実施の形態２に係るカードスロットの設置構造を示す説明図であり、図５の（ａ）は側面図、図５の（ｂ）は正面図である。
【００５３】
図５に示すように、実施の形態２に係るカードスロットの設置構造１００Ａにおけるカードスロット２０Ａは、カバー部４１ａが本体部３０から上方に突出した構造となっている。具体的には、カバー部４１ａは、Ｚ軸方向に延在した直方体状に形成されている。カバー部４１ａの上面４１２ａは、ガイド部３２の上面３２６及び装着部３１の上面３１６よりも上方に突出している。カバー部４１ａの底面４１１ａは、ガイド部３２の底面３２５及び装着部３１の底面３１５と面一に形成されている。装着部３１における複数の端子４５ａ，４６ａの引き出し位置は、全て回路基板１０の第１主面１１よりも下方に位置する。このため、複数の端子４５ａ，４６ａの基端部４５３，４６１は、いずれも対向部４５１，４６２に対して折り曲げられた折り曲げ部である。
【００５４】
また、ガイド部３２の上面３２６には、Ｘ軸方向に所定の間隔をあけて配置された一対の支持部３４ａが設けられている。支持部３４ａは、例えば樹脂、金属からなる正面視Ｌ字状の板状部材である。支持部３４ａは、ガイド部３２の上面３２６から立設されて、外方に向けて延在している。支持部３４ａの底面３４１ａは、回路基板１０の第１主面１１に当接している。これにより、支持部３４ａによって本体部３０が回路基板１０に支持される。また、支持部３４ａは、本体部３０の下方への移動を規制し、本体部３０のＺ軸方向の位置決めをする。
【００５５】
［２−２．効果等］
以上のように、本実施の形態によれば、カードスロット２０Ａのカバー部４１Ａが回路基板１０に対して側面視で重畳しているので、構造上、或いは仕様上、本体部３０よりも薄くできないカバー部４１Ａであっても、重畳した分の厚みだけ回路基板１０とカードスロット２０Ａとの全体的な厚みを薄くすることができる。
【００５６】
（他の実施の形態）
以上のように、本出願において開示する技術の例示として、実施の形態１，２を説明した。しかしながら、本開示における技術は、これに限定されず、適宜、変更、置き換え、付加、省略などを行った実施の形態にも適用可能である。
【００５７】
そこで、以下、変形例を例示する。なお、以下の説明において、上記実施の形態と同一の部分においては、同一の符号を付してその説明を省略する場合がある。
【００５８】
（変形例１）
図６は、変形例１に係るカードスロットの設置構造を示す説明図であり、図６の（ａ）は上面図、図６の（ｂ）は側面図、図６の（ｃ）は正面図である。
【００５９】
図６に示すように、変形例１に係るカードスロットの設置構造１００Ｂは、上記実施の形態１，２とは異なり回路基板１０に開口部が設けられておらず、カードスロット２０の本体部３０が回路基板１０の縁部から外方に張り出すように配置されている。具体的には、カードスロット２０のカバー部４１の底面４１１が回路基板１０の第１主面１１に当接し、固定されている。一方、ガイド部３２の底面３２５及び装着部３１の底面３１５は、回路基板１０の第２主面１２よりも下方に配置されている。これにより、本体部３０は、回路基板１０の全厚に対して重畳している。この重畳した分の厚みだけ回路基板１０とカードスロット２０との全体的な厚みを薄くすることができる。また、開口部を設けないために、回路基板１０を製造する際の工程を削減することができる。
【００６０】
（変形例２）
図７は、変形例２に係るカードスロットの設置構造を示す説明図であり、図７の（ａ）は側面図、図７の（ｂ）は正面図である。
【００６１】
図７に示すように、変形例２に係るカードスロットの設置構造１００Ｃは、上記実施の形態１，２とは異なり、回路基板１０の第１主面１１と第２主面１２との間に、ガイド部３２の底面３２５及び装着部３１の底面３１５とが配置されている。つまり、カードスロット２０の本体部３０は、回路基板１０の厚みの一部に対して重畳している。したがって、重畳した分の厚みだけ回路基板１０とカードスロット２０との全体的な厚みを薄くすることができる。
【００６２】
なお、重畳する厚みに対応するように、支持部３４のＺ軸方向の設置位置を調整する必要がある。
【００６３】
（変形例３）
図８は、変形例３に係るカードスロットの設置構造を示す説明図であり、図８の（ａ）は側面図、図８の（ｂ）は正面図である。
【００６４】
図８に示すように、変形例３に係るカードスロットの設置構造１００Ｄは、上記実施の形態１，２とは異なり、カードスロット２０が回路基板１０の第２主面１２に実装されている。具体的には、カバー部４１の上面４１２は、ガイド部３２の上面３２６及び装着部３１の上面３１６から一段下方に配置されている。カバー部４１の上面４１２は、回路基板１０の第２主面１２に当接しており、回路基板１０の第２主面１２に対して、例えば接着剤などによって固定されている。
【００６５】
ガイド部３２の上面３２６及び装着部３１の上面３１６は、回路基板１０の第２主面１２よりも上方に配置されている。具体的には、ガイド部３２の上面３２６及び装着部３１の上面３１６は、回路基板１０の第１主面１１よりも上方に配置されている。これにより、本体部３０が回路基板１０の全厚に対して重畳している。
【００６６】
なお、支持部３４の上面３４２は、回路基板１０の第２主面１２に対して固定されている。
【００６７】
この変形例３においても、重畳した分の厚みだけ回路基板１０とカードスロット２０との全体的な厚みを薄くすることができる。
【００６８】
（変形例４）
図９は、変形例４に係るカードスロットを示す上面図である。
【００６９】
図９に示すように、変形例４に係るカードスロット２０Ｅは、上記実施の形態１，２とは異なり、ガイド部３２ｅが装着部３１ｅに対して着脱自在になっている。具体的には、ガイド部３２ｅは、一対のフレーム３２１，３２２の基端部同士を連結する連結部３２８を備える。連結部３２８は、Ｘ軸方向に延在しており、その両端部に対して一対のフレーム３２１，３２２が固定されている。これにより、一対のフレーム３２１，３２２が連結部３２８を介して一体化されている。この連結部３２８及び装着部３１ｅの一方と他方とが着脱自在となる構造が連結部３２８及び装着部３１ｅに対して設けられている。着脱自在となる構造としては、周知の着脱構造を用いることができる。具体的には、連結部３２８及び装着部３１ｅの一方が凸部を有し、他方が当該凸部に嵌り合う凹部を有する構造などである。
【００７０】
このように、カードスロット２０Ｅが分割可能であるので、回路基板１０に実装する際には、予め一体化されている装着部３１ｅとカバー部４１とを先に回路基板１０に実装してから、ガイド部３２ｅを装着部３１ｅに組み付けることが可能となる。つまり、カードスロット２０Ｅの全体をまとめて回路基板１０に実装する場合と比しても、小さな部品を先に回路基板１０に実装することができるので、作業性を高めることができる。
【００７１】
（変形例５）
図１０は、変形例５に係るカードスロットを示す上面図である。
【００７２】
図１０に示すように変形例５に係るカードスロット２０Ｆは、支持部３４ｆがカードスロット２０ＦのＹ軸方向の全長にわたって設けられている。これにより、支持部３４ｆと回路基板１０との接触面積を大きくすることができ、カードスロット２０Ｆを安定して保持することができる。
【００７３】
（変形例６）
図１１は、変形例６に係るカードスロットを示す側面図である。
【００７４】
図１１に示すように変形例６に係るカードスロット２０Ｇは、スルーホールを介さずに回路基板１０の第１主面１１に対して複数の端子４３を実装している。カードスロット２０Ｇ用のスルーホールが不要となるため、回路基板１０を製造する際の工程を削減することができる。
【００７５】
（変形例７）
図１２及び図１３は、変形例７に係るカードスロットを示す説明図であり、（ａ）は側面図、（ｂ）は正面図である。
【００７６】
上記実施の形態１，２では、カードスロット２０が２つの装着口（第１装着口３１１、第２装着口３１２）をＺ軸方向に重ねて有する場合を例示して説明したが、装着口の設置数は１つであっても３つ以上であっても構わない。
【００７７】
図１２は、装着口が１つの場合のカードスロット２０Ｈを示している。
【００７８】
図１２に示すようにカードスロット２０Ｈの装着部３１ｈには、装着口３１１ｈが１つ設けられている。また、ガイド部３２ｈには、１つの装着口３１１に対応するように一対の溝部３２３ｈが設けられている。カバー部４１ｈの底面４１１ｈは、ガイド部３２ｈの底面３２５ｈ及び装着部３１ｈの底面３１５ｈから一段上方に配置されている。そして、ガイド部３２ｈの底面３２５ｈ及び装着部３１ｈの底面３１５ｈは、回路基板１０の第２主面１２よりも下方に配置されている。これにより、ガイド部３２ｈ及び装着部３１ｈを備える本体部３０ｈは、回路基板１０の全厚に対して重畳している。
【００７９】
図１３は、装着口が３つの場合のカードスロット２０Ｉを示している。
【００８０】
図１３に示すようにカードスロット２０Ｉの装着部３１ｉには、装着口３１１ｉが３つ設けられている。また、ガイド部３２ｉには、３つの装着口３１１ｉに対応するように３対の溝部３２３ｉが設けられている。カバー部４１ｉの底面４１１ｉは、ガイド部３２ｉの底面３２５ｉ及び装着部３１ｉの底面３１５ｉから一段上方に配置されている。そして、ガイド部３２ｉの底面３２５ｉ及び装着部３１ｉの底面３１５ｉは、回路基板１０の第２主面１２よりも下方に配置されている。これにより、ガイド部３２ｉ及び装着部３１ｉを備える本体部３０ｉは、回路基板１０の全厚に対して重畳している。
【００８１】
このように、装着口の設置数が如何様であっても、本体部３０ｈ，３０ｉが側面視で回路基板１０の少なくとも一部に対して重畳していれば、カードスロット２０Ｈ，２００Ｉと回路基板１０との全体的な厚みを薄くすることができる。
【００８２】
なお、装着口３１１ｉが３つ以上設けられている場合においても、複数の装着口３１１ｉのそれぞれに対応する端子の装着口３１１ｉ側の端部の延在方向を、少なくとも一つの装着口３１１ｉと、他の装着口３１１ｉとで異ならせてもよい。図１３の場合では、最下段の装着口３１１ｉに対応する端子４６の基端部４６１と、それより上段にある２つの装着口３１１ｉに対応する端子４５の基端部との延在方向が異なっている。なお、全ての装着口３１１ｉ毎に異なっていてもよい。
【００８３】
（変形例８）
上記実施の形態１，２では、カードスロット２０を平面視したときの少なくとも一部である本体部３０又はカバー部４１が、側面視で回路基板１０の少なくとも一部に対して重畳している場合を例示して説明したが、本体部３０及びカバー部４１を平面視したときの全体が回路基板１０の少なくとも一部に対して側面視で重畳していてもよい。
【００８４】
以上のように、本開示における技術の例示として、実施の形態を説明した。そのために、添付図面および詳細な説明を提供した。
【００８５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８６】
また、上述の実施の形態は、本開示における技術を例示するためのものであるから、特許請求の範囲またはその均等の範囲において種々の変更、置き換え、付加、省略などを行うことができる。
【００８７】
さらに、上記実施の形態及び上記変形例をそれぞれ組み合わせるとしてもよい。
【産業上の利用可能性】
【００８８】
本開示は、カードスロットを有する電子機器に適用可能である。
【符号の説明】
【００８９】
１０    回路基板
１４    開口部
２０，２０Ａ，２０Ｅ，２０Ｆ，２０Ｇ，２０Ｈ，２０Ｉ    カードスロット
２５    筐体部
３０    本体部
３４，３４ａ    支持部
４１    カバー部
４２    端子群
４３    端子
４５    第１端子
４６    第２端子
１００，１００Ａ，１００Ｂ，１００Ｃ，１００Ｄ    カードスロットの設置構造
４５３，４６１    基端部（折り曲げ部）
４５１，４６２    対向部
【図１】
2016225049.tif 000003
【図２】
2016225049.tif 000004
【図３】
2016225049.tif 000005
【図４】
2016225049.tif 000006
【図５】
2016225049.tif 000007
【図６】
2016225049.tif 000008
【図７】
2016225049.tif 000009
【図８】
2016225049.tif 000010
【図９】
2016225049.tif 000011
【図１０】
2016225049.tif 000012
【図１１】
2016225049.tif 000013
【図１２】
2016225049.tif 000014
【図１３】
2016225049.tif 000015